(57)【特許請求の範囲】
【請求項１】
建設機械のフレーム上に設けられた前記建設機械用の運転室を区画するルーフ区画部材、前後区画部材及び左右のサイド区画部材と、
前記ルーフ区画部材の内側に設けられ、一端側が前記サイド区画部材側から水平に延び、他端側がこの水平に延びる水平部分から鉛直上方に延びてその端部が前記ルーフ区画部材に接合されて前記運転室の天井を構成するとともに、前記ルーフ区画部材との間に天井裏空間を形成する天井パネル部材と、
前記天井パネル部材の前記水平部分に形成され、前記運転室から前記天井裏空間に通じ且つ前記運転室の前後方向に延びる開口と、
前記運転室側から前記開口を通じて前記天井裏空間内に複数の内装機器の本体部分を前記運転室の前後方向に並べて収容させるべく前記内装機器を保持するとともに、前記開口から前記運転室内に前記内装機器の操作スイッチ類を露出させた状態で且つ、オペレータの着座位置に対して一定の角度を保った状態で前記内装機器を前記天井パネル部材に固定する固定手段と
を具備し、
前記固定手段は、
前記天井裏空間内への前記複数の内装機器の収容に先立ち、これら内装機器を１つのアッセンブリに纏める固定ブラケットと、
前記固定ブラケットに設けられ、前記アッセンブリが前記開口を通じて前記天井裏空間内に収容されたとき、前記天井パネル部材の前記水平部分にボルトを介して固定可能なアングル部材と
を含むことを特徴とする建設機械用運転室の内装機器取付装置。
【請求項２】
前記運転室にはオペレータが着座する運転席が配置されており、
前記固定手段は、前記操作スイッチ類を前記運転席に着座したオペレータに向けて露出させるべく前記内装機器を固定することを特徴とする請求項１に記載の建設機械用運転室の内装機器取付装置。
【請求項３】
前記固定手段による前記操作スイッチ類の露出方向を変更可能とする変更手段をさらに備えたことを特徴とする請求項１または２に記載の建設機械用運転室の内装機器取付装置。
【請求項４】
前記運転室内に設けられ、前記内装機器の露出部分を覆うカバー部材をさらに備えたことを特徴とする請求項１から３のいずれかに記載の建設機械用運転室の内装機器取付装置。
【発明の詳細な説明】
【０００１】
【発明の属する技術分野】
本発明は、キャブまたはキャノピー等の運転室を備えた建設機械に係わり、特に運転室内に内装機器を取り付けるための建設機械用運転室の内装機器取付装置に関する。
【０００２】
【従来の技術】
例えば特開２０００−３０３４９９号公報に記載されているように、建設機械はそのフレーム上に設けられたキャブボックスを備えており、このキャブボックス内に運転室が区画して形成されている。運転室には、その中央にオペレータが着座する運転席が配置されており、運転席の左右両脇にはそれぞれ、建設機械の操作を集中的に行うためのコンソールが配置されている。これら左右のコンソールは、それぞれ前部上端側から延びる操作レバーを有しており、これら操作レバーは運転席にオペレータが着座した状態でその操作を良好に行うことができるようにレイアウトされている。
【０００３】
また上記公報に記載されているように、運転室には空調装置やラジオ装置等の内装機器が配置されており、このうち空調装置は例えば運転席の後方に配置されている。上述したコンソールの一方には空調装置のコントローラが収容されており、その他方にはラジオ装置が収容されている。これら空調コントローラやラジオ装置は、それぞれ操作スイッチ類をコンソール上面に露出させた状態で固定されており、それゆえ、オペレータは運転席に着座した状態でこれら操作スイッチ類を容易に操作することができる。またその他に、コンソールではなく運転席後方のリアコンソールに空調コントローラが設けられている場合もある。
【０００４】
【発明が解決しようとする課題】
近年の建設機械の性能向上に伴い、その制御システムはますます高度化する傾向にあり、それゆえ、建設機械の操作中にオペレータが取り扱うべき情報もまた多様化している。これに伴い、制御システムに対する各種の操作スイッチ類を運転席の周辺に集中して配置する必要性が高まっており、上述したコンソールでのレイアウト上、制御用の操作スイッチ類が占める割合が増加してきている。
【０００５】
特に超小旋回機等の建設機械にあっては、運転室として確保できるスペースが必要最小限に制約されるため、制御用操作スイッチ類の配置を優先すると、空調コントローラやラジオ装置等を配置するためのスペースが充分に確保できないという問題がある。
そこで本発明は、オペレータの視界を妨げたり、制御用の操作スイッチ類の操作性を阻害したりすることなく、内装機器を好ましい配置で運転室内に取り付けることができる建設機械用運転室の内装機器取付装置の提供を課題としている。
【０００６】
【課題を解決するための手段】
上記の課題を解決するため、本発明の建設機械用運転室の内装機器取付装置（請求項１）は、建設機械のフレーム上に設けられた運転室を区画するルーフ区画部材、前後区画部材及び左右のサイド区画部材と、ルーフ区画部材の内側に設けられ、一端側が前記サイド区画部材側から水平に延び、他端側がこの水平に延びる水平部分から鉛直上方に延びてその端部が前記ルーフ区画部材に接合されて運転室の天井を構成するとともに、ルーフ区画部材との間に天井裏空間を形成する天井パネル部材と、天井パネル部材の水平部分に形成され、運転室から天井裏空間に通じ且つ運転室の前後方向に延びる開口と、運転室側から開口を通じて天井裏空間内に複数の内装機器の本体部分を運転室の前後方向に並べて収容させるべく内装機器を保持するとともに、運転室内に内装機器の操作スイッチ類を露出させた状態で且つ、オペレータの着座位置に対して一定の角度を保った状態で内装機器を天井パネル部材に固定する固定手段とを備え、この固定手段は、天井裏空間内への複数の内装機器の収容に先立ち、これら内装機器を１つのアッセンブリに纏める固定ブラケットと、この固定ブラケットに設けられ、アッセンブリが前記開口を通じて天井裏空間内に収容されたとき、天井パネル部材の前記水平部分にボルトを介して固定可能なアングル部材とを含んでいる。
【０００７】
上述した内装機器取付装置によれば、天井パネル部材とルーフ区画部材との間の天井裏空間内に内装機器の本体部分が収容されるので、運転室内のスペースを狭めることなく複数の内装機器を取り付けることができる。また、コンソール等には制御用の操作スイッチを集中して配置することができるので、建設機械の操作性を損なうこともない。
また、天井裏空間内に複数の内装機器が収容される際、この収容に先立ち、複数の内装機器は固定ブラケットにより１つのアッセンブリに纏められ、このアッセンブリの状態で天井パネル部材の開口を通じて天井裏空間内に収容され、この後、天井パネル部材の水平部分にアングル部材をボルトにより固定すれば、複数の内装機器の取付作業が完了し、この際、内装機器の操作スイッチ類は運転室内に露出しかつオペレータの着座位置に対して一定の角度を保った状態となる。
【０００８】
また、建設機械用の運転室にはオペレータが着座する運転席が配置されており、上述の固定手段は、操作スイッチ類を運転席に着座したオペレータに向けて露出させるべく内装機器を固定することができる（請求項２）。この場合、オペレータは内装機器のスイッチ類を容易に視認および操作することができる。
さらに本発明は、固定手段による操作スイッチ類の露出方向を変更可能とする変更手段を備えることができる（請求項３）。これにより、操作スイッチ類をオペレータにとって視認や操作がより容易な露出方向に調節することができる。
【０００９】
また運転室内に設けられて内装機器の露出部分を覆うカバー部材をさらに備えていれば（請求項４）、運転室内に内装機器が突出していてもオペレータの頭部が有効に保護される。
【００１０】
【発明の実施の形態】
図１は、建設機械用運転室の一例として油圧ショベルのキャブ１を示している。キャブ１はベースフレーム２上に配置されており、ベースフレーム２は旋回装置を介して走行体（いずれも図示していない）に支持されている。なお走行体にはクローラ形、ホイール形等の各種の態様がある。
【００１１】
その他、油圧ショベルはキャブ１の右側に配置されたフロント作業機構４を備えている。フロント作業機構４はブーム６を有するほか、図示しないアームやバケット、そして、これらを駆動する油圧シリンダ８等から構成されている。
キャブ１はその周囲を区画部材に覆われており、具体的にはキャブルーフパネル１０、キャブリヤパネル１２、キャブフロントパネル１４等からなる。図１には示していないが、キャブ１の両側にはキャブサイドアウタパネルが配置されており、図１の例では左側のキャブサイドアウタパネルに開口して左後窓１６が設けられている。またキャブ１の左前側には、開閉可能なキャブドア１８が設けられている。オペレータは、キャブドア１８の開口を通じて出入りすることができる。
【００１２】
またベースフレーム２上にはフロアパネル２０が敷設されており、その上に運転席２２が設置されている。そして、運転席２２の左右の両脇にはコンソール２４が設置されており、それぞれ前端に操作レバー２６が設けられている。オペレータは運転席２２に着座した状態で操作レバー２６をはじめコンソール２４上の各種操作スイッチ類を操作し、油圧ショベルを運転することができる。このとき図示しない前方窓や後方窓、右側窓、天井窓、また、ドア窓２８や左後窓１６等を通じてオペレータの作業視界が確保される。
【００１３】
上述したキャブドア１８と左後窓１６との間はセンタピラー３０により仕切られており、センタピラー３０はキャブルーフパネル１０とフロアパネル２０との間を上下方向に延びている。また、キャブ１の内側には天井パネル部材３２が配置されており、この天井パネル部材３２はキャブルーフパネル１０の下方を水平方向に延び、キャブ１の天井を部分的に構成している。
【００１４】
図１には示していないが、運転席２２の後方には空調装置が配置されており、その作動によりキャブ１内の空調が適度に行われる。本実施の形態ではコンソール２４に油圧ショベル制御用の操作スイッチ類が集中的に配置されており、それゆえ、空調コントローラ３４やラジオ装置３６等の内装機器はキャブ１の天井に配置されている。
【００１５】
図２は、オペレータの着座位置から見た空調コントローラ３４およびラジオ装置３６の取付状態を示している。図示のように空調コントローラ３４およびラジオ装置３６は天井パネル部材３２から下方に突出した状態で取り付けられており、この状態で操作スイッチ類がキャブ１内に向けられている。より詳しくは、空調コントローラ３４およびラジオ装置３６の本体部分は天井パネル部材３２とキャブルーフパネル１０との間の天井裏空間に埋め込まれており、天井パネル部材３２の水平部分に対して斜めに固定されている。
【００１６】
図３は、一方のラジオ装置３６の取付状態を具体的に示している。上述したキャブルーフパネル１０はキャブ１の屋根を構成し、その左側方にてキャブサイドアウタパネル３８に連なっている。天井パネル部材３２は、左後窓１６およびキャブドア１８の直上方にてキャブサイドインナパネル４０に接合されて水平に延び、この水平部分にてキャブ１の天井を構成している。そして、天井パネル部材３２は水平部分から屈曲されて鉛直上方に延び、キャブルーフパネル１０に接合されている。したがって、天井パネル部材３２とキャブルーフパネル１０との間に上述の天井裏空間４２が形成される。
【００１７】
天井パネル部材３２の水平部分には開口４４が形成されており、空調コントローラ３４およびラジオ装置３６は開口４４を通じて天井裏空間４２内に収容されている。一方、天井パネル部材３２から下方に突出した部分は樹脂カバー４６により覆われている。天井裏空間４２内には固定ブラケット４８が配置されており、空調コントローラ３４およびラジオ装置３６は固定ブラケット４８を介して天井パネル部材３２に固定されている。
【００１８】
図４は、樹脂カバー４６を取り外した状態を示している。開口４４は、ほぼ矩形をなしてキャブ１の前後方向に延びており、その四隅は円弧形状に形成されている。固定ブラケット４８は天井パネル部材３２の水平部分にボルト５０，５２を介して固定されており、天井裏空間４２内にて空調コントローラ３４およびラジオ装置３６をつり下げた状態にある。なお開口４４の大きさは、空調コントローラ３４およびラジオ装置３６を取り付けた状態で、固定ブラケット４８を容易に挿通できる程度とすることが好ましい。
【００１９】
図５および図６は、空調コントローラ３４およびラジオ装置３６を取り外した状態で固定ブラケット４８を具体的に示している。特に図６は、天井裏空間４２内からみた固定ブラケット４８を示している。
固定ブラケット４８はメインフレーム５４を備え、開口４４の長手寸法とほぼ同様の長さを有している。メインフレーム５４は門型に形成されて開口４４の上方を延び、両端に一対の脚５６，５７を有している。両脚５６，５７の間の部分は断面溝形状に成形されており、これによりメインフレーム５４に充分な曲げ強度が確保されている。
【００２０】
開口４４の両側縁部にはアングル材５８，６０が配置されており、上述のボルト５０，５２により天井パネル部材３２に締結されている。そして、メインフレーム５４の脚５６，５７はアングル材５８，６０等を介して天井パネル部材３２に固定されている。なお、図５ではボルト５２を図示省略している。
メインフレーム５４の下面には、２つの吊下ブラケット６２，６４が長手方向に並べて取り付けられており、一方の吊下ブラケット６２はボルト６６を用いてメインフレーム５４に締結されている。
【００２１】
図５に示すように吊下ブラケット６２はコ字形状をなし、その内側にてラジオ装置３６を上方から抱え込むようにして固定する（図４参照）。ラジオ装置３６はその両側面にて吊下ブラケット６２に支持され、ボルト６８を用いて締結される。
一方、図４に示すように吊下ブラケット６４は空調コントローラ３４を跨ぎ、その両側にてキャブ１内に面した一対のフランジ７０を有している。空調コントローラ３４は両端側にて一対のフランジ７０に取り合い、図示しないボルトを用いて締結されている。
【００２２】
また、メインフレーム５４の中央にはセンタブラケット７２が取り付けられており、センタブラケット７２はキャブ１内に面する取付面７４を有している。図３に示されるように、樹脂カバー４６は取付面７４に取り合い、ボルト７６を用いてセンタブラケット７２に締結される。
上述のように固定ブラケット４８に空調コントローラ３４およびラジオ装置３６を取り付けると、内装機器が全てアッセンブリの状態となる。したがって、キャブ１内に内装機器を取り付けるときは、先に内装機器をアッセンブリ状態にしておき、これを天井パネル部材３２の開口４４を通じて天井裏空間４２内に収容し、ボルト５０，５２を締め付けるだけでよい。またこの後、樹脂カバー４６をセットしてボルト７６を締め付けると、内装機器の取付作業が完了する。
【００２３】
図２から明らかなように、固定ブラケット４８により取り付けられた空調コントローラ３４およびラジオ装置３６は、その操作スイッチ類が着座位置にあるオペレータに対して一定の角度を保っている。このため、オペレータは着座位置から操作スイッチ類を容易に視認し、その操作を確実に行うことができる。
また、空調コントローラ３４およびラジオ装置３６の本体部分はほとんど天井裏空間４２内に収容されているので、左後窓１６を通したオペレータの視界の妨げとならないし、キャブ１内でのオペレータの頭上空間が大きく損なわれることはない。特に、オペレータの着座位置から空調コントローラ３４およびラジオ装置３６を見上げたとき、これらの前面がオペレータの方を向くように取付角度が与えられているので、オペレータの左斜め上方視界を遮ることはない。
【００２４】
さらに、本実施の形態のように内装機器の突出部分が樹脂カバー４６により覆われていれば、オペレータの頭部が良好に保護される。
上述した実施の形態では、空調コントローラ３４およびラジオ装置３６の取付角度を一定にしているが、以下のように取付角度を調節可能な構造を採用することもできる。
【００２５】
例えば図７に示すように、メインフレーム５４の両脚５６，５７とアングル材５８との間にヒンジ７８を介装し、これを中心としてメインフレーム５４を上下方向に回動可能とすることができる。なおヒンジ７８には、メインフレーム５４を任意の角度で保持できるように節度機構が設けられることが望ましい。このような追加を行った場合、オペレータの体格や好みに応じて内装機器の取付角度を調節することができ、その視認性や操作性を大きく向上することができる。
【００２６】
参考として建設機械用運転室が例えば図８に示すようなキャノピー８２である場には、ルーフパネル８４と天井パネル部材８６の間に天井裏空間が確保され、空調コントローラ３４およびラジオ装置３６は天井パネル部材８６にアッセンブリの状態で取り付けられる。なお、キャノピータイプにおいて空調装置が装備されていない場合、空調コントローラ３４の取付を省略してもよい。
本発明は上述した実施の形態に制約されることなく、各種の変形や追加を伴って実施可能である。
【００２７】
また、一実施の形態では内装機器として空調コントローラ３４およびラジオ装置３６を挙げているが、これらは単に例示であり、本発明はその他の内装機器を取り付ける用途に適用することが可能である。
その他、実施の形態で挙げた各種の部材や構造物は図示のものを含めて限定されるものではなく、任意の形態に変形可能である。
【００２８】
【発明の効果】
本発明の建設機械用運転室の内装機器取付装置（請求項１）は、運転室内での複数の内装機器の配置の自由度を向上することができ、合わせて運転室内のユーティリティを高めることができる。また、運転室からの視界を遮ることなく複数の内装機器を配置できるとともに、オペレータの頭上空間をも確保できる。更に、複数の内装機器は固定ブラケットにより１つのアッセンブリに纏められた状態で、天井パネル部材の開口を通じて天井裏空間内に収容でき、この後、固定ブラケットに設けたアングル部材を天井パネル部材の水平部分にボルトにより固定し、複数の内装機器の取付作業を完了させることができる。そして、取付け作業の完了後にあっては、内装機器の操作スイッチ類が運転室内に露出し且つオペレータの着座位置に対して一定の角度を保った状態にあるので、操作スイッチ類の視認が容易となり、その操作を確実に行うことができる。
【００２９】
特に操作スイッチ類が運転席に着座したオペレータに向けられていれば（請求項２）、その視認性や操作性が一層高まり、より実用性に優れたものとなる。
さらに操作スイッチ類の露出方向が変更可能であれば（請求項３）、オペレータが所望の向きに調節することで最適な視認性や操作性が容易に得られる。
また内装機器の露出部分がカバーで覆われていれば（請求項４）、オペレータの頭部保護とともに内装機器の損傷防止も実現される。
【図面の簡単な説明】
【図１】建設機械用運転室として油圧ショベルのキャブを示した縦断面図である。
【図２】オペレータの着座位置から見た内装機器の取付状態を示す斜視図である。
【図３】図１中、III−III線に沿う断面図である。
【図４】図２の取付状態から樹脂カバーを外したときの状態を示した斜視図である。
【図５】キャブ内からみた固定ブラケットの斜視図である。
【図６】天井裏空間からみた固定ブラケットの斜視図である。
【図７】内装機器の取付角度を変更するための機構を示した図である。
【図８】建設機械用運転室としてキャノピーを示した斜視図である。
【符号の説明】
１  キャブ
１０  キャブルーフパネル（ルーフ区画部材）
２２  運転席
３２  天井パネル部材
３４  空調コントローラ（内装機器）
３６  ラジオ装置（内装機器）
４２  天井裏空間
４４  開口
４６  樹脂カバー
４８  固定ブラケット（固定手段）
５４  メインフレーム（固定ブラケット）
５８  アングル部材（固定手段）
６０  アングル部材（固定手段）
７８  ヒンジ（変更手段）
８２  キャノピー
【図１】
0003985221.tif 000002
【図２】
0003985221.tif 000003
【図３】
0003985221.tif 000004
【図４】
0003985221.tif 000005
【図５】
0003985221.tif 000006
【図６】
0003985221.tif 000007
【図７】
0003985221.tif 000008
【図８】
0003985221.tif 000009